(57)【特許請求の範囲】
【請求項１】
ウェザーカバーを取り付けるための外壁の排気口と、換気扇取付枠を取り付けるための内壁の開口部とが対向して設けられた外壁パネルにおいて、外壁の排気口にウェザーカバーを取り付ける方法であって、
一方の端部に排気口の室外側の周辺部に圧接されるフランジ部が設けられたカバー本体と、
カバー本体のフランジ部が排気口の室外側の周辺部に圧接された状態で、排気口内に挿入されるようにカバー本体のフランジ部に一体的に設けられてなり、左右外側面には固定具をスライド可能に支持する固定具支持部材が設けられるとともに、室内側の端部にはビス孔を有する縁部が設けられた取付枠と、
排気口内に挿入された取付枠の左右外側面に沿って取り付けられるようになっており、取付枠に取り付けられた状態で、室外側の端部には取付枠から離れる方向へ直角に屈曲された押圧片が設けられ、他方の端部には押圧片とは反対の方向に直角に屈曲された係止片が設けられてなる固定具とを具備したウェザーカバーを用い、
カバー本体のフランジ部を排気口の室外側の周辺部に圧接するようにして取付枠を排気口内に挿入した後、取付枠の固定具支持部材に固定具を設け、この固定具の係止片を取付枠の縁部にビスでネジ結合し、これによって取付枠を室内側に牽引し、カバー本体のフランジ部を排気口の室外側の周辺部に圧接するとともに固定具の押圧片を外壁に強く押圧して外壁の排気口に取り付けることを特徴とする換気扇のウェザーカバー取付方法。
【請求項２】
請求項１記載の換気扇のウェザーカバー取付方法において、
取付枠の縁部の上部には、一端部がピンによって回動可能に支持され、縁部に沿った状態と縁部から上方に垂直に突出した状態とにできるようになされたストッパーが設けられたウェザーカバーを用い、
取付枠を排気口内に挿入する際はストッパーを縁部に沿った状態とし、挿入後に固定されるまでの間は、ストッパーを縁部から上方に垂直に突出した状態として排気口からの取付枠の抜け止めを図ることを特徴とする換気扇のウェザーカバー取付方法。
【請求項３】
請求項１記載の換気扇のウェザーカバー取付方法において、
前記カバー本体に設けられたフランジ部の外周面には、コーキング材を収容するコーキング材収容溝部が設けられたウェザーカバーを用い、
このコーキング材収容溝部にコーキング材が収容された状態で、フランジ部を排気口の室外側の周辺部に圧接することを特徴とする換気扇のウェザーカバー取付方法。
【発明の詳細な説明】
【０００１】
【発明の属する技術分野】
本発明は、室内を換気するために外壁パネルの内壁に設けられた換気扇に対して、外壁パネルの外壁に設けられた排気口に、雨水等の進入を防ぐために外壁に設けられるウェザーカバーの取付方法に関する。
【０００２】
【従来の技術】
家屋における厨房の換気に使用される換気扇は、通常、外壁パネルの内壁に設けられた開口部内に取り付けられている。外壁パネルの外壁には、換気扇に対向して排気口が設けられており、排気口を通して、室内の空気が排気されるようになっている。外壁に設けられた排気口には、外部から雨水等が室内に進入することを防止するために、外壁の室外側の壁面にウェザーカバーが取り付けられている。
【０００３】
ウェザーカバーは、例えば、特開平９−１１２９８１号公報に開示されているように、外壁の室外側の側面にビス等によって固定されている。
【０００４】
【発明が解決しようとする課題】
このような換気扇のウェザーカバーでは、外壁の高所に設けられた排気口に対して外部から、ビス等によって固定しなければならず、そのための作業が容易でないという問題がある。また、ウェザーカバーは、排気口内に設けられた枠体にて、排気口から室外に突出した状態に支持されるようになっており、この場合には、通常、排気口に挿入される枠体を、排気口の寸法に対応した大きさにカットして、排気口内に挿入し、ウェザーカバーと一体化しなければならず、非常に煩わしいという問題がある。さらに、外壁の排気口の周縁部とウェザーカバーとの間は、コーキング材によってコーキング処理する必要があるが、この場合には、コーキング材がウェザーカバーの周囲にはみ出た状態になると、見苦しくなり、外観上、好ましいものではない。
【０００５】
本発明は、このような問題を解決するものであり、その目的は、外壁の排気口に対して、室内側からきわめて容易に固定することができる換気扇のウェザーカバー取付方法を提供することにある。本発明の他の目的は、外壁との間をコーキング処理した場合にも、見苦しくなく、外観性に優れた換気扇のウェザーカバー取付方法を提供することにある。
【０００６】
【課題を解決するための手段】
本発明の換気扇のウェザーカバー取付方法は、ウェザーカバーを取り付けるための外壁の排気口と、換気扇取付枠を取り付けるための内壁の開口部とが対向して設けられた外壁パネルにおいて、外壁の排気口にウェザーカバーを取り付ける方法であって、一方の端部に排気口の室外側の周辺部に圧接されるフランジ部が設けられたカバー本体と、カバー本体のフランジ部が排気口の室外側の周辺部に圧接された状態で、排気口内に挿入されるようにカバー本体のフランジ部に一体的に設けられてなり、左右外側面には固定具をスライド可能に支持する固定具支持部材が設けられるとともに、室内側の端部にはビス孔を有する縁部が設けられた取付枠と、排気口内に挿入された取付枠の左右外側面に沿って取り付けられるようになっており、取付枠に取り付けられた状態で、室外側の端部には取付枠から離れる方向へ直角に屈曲された押圧片が設けられ、他方の端部には押圧片とは反対の方向に直角に屈曲された係止片が設けられてなる固定具とを具備したウェザーカバーを用い、カバー本体のフランジ部を排気口の室外側の周辺部に圧接するようにして取付枠を排気口内に挿入した後、取付枠の固定具支持部材に固定具を設け、この固定具の係止片を取付枠の縁部にビスでネジ結合し、これによって取付枠を室内側に牽引し、カバー本体のフランジ部を排気口の室外側の周辺部に圧接するとともに固定具の押圧片を外壁に強く押圧して外壁の排気口に取り付けることを特徴とする。
【０００７】
また、上記換気扇のウェザーカバー取付方法において、取付枠の縁部の上部には、一端部がピンによって回動可能に支持され、縁部に沿った状態と縁部から上方に垂直に突出した状態とにできるようになされたストッパーが設けられたウェザーカバーを用い、取付枠を排気口内に挿入する際はストッパーを縁部に沿った状態とし、挿入後に固定されるまでの間は、ストッパーを縁部から上方に垂直に突出した状態として排気口からの取付枠の抜け止めを図ることを特徴とする。
【０００８】
さらに、上記換気扇のウェザーカバー取付方法において、前記カバー本体に設けられたフランジ部の外周面には、コーキング材を収容するコーキング材収容溝部が設けられたウェザーカバーを用い、このコーキング材収容溝部にコーキング材が収容された状態で、フランジ部を排気口の室外側の周辺部に圧接することを特徴とする。
【０００９】
【発明の実施の形態】
以下、本発明の実施の形態を、図面に基づいて詳細に説明する。
【００１０】
図１は、本発明の換気扇のウェザーカバーが取り付けられた外壁の縦断面図、図２は、その外壁の横断面図である。換気扇のウェザーカバー１０は、外壁パネルにおける外壁２１に設けられた正方形状の排気口２１ａ内に支持されて、外壁２１の外側に突出するように配置されている。外壁パネルにおける内壁２２には、外壁２１の排気口２１ａに対向して正方形状の開口部２２ａが設けられており、この開口部２２ａ内に換気扇取付枠３２が取り付けられて、換気扇取付枠３２内に換気扇３３が固定されている。
【００１１】
図３は、外壁２１に取り付けられたウェザーカバー１０の分解斜視図である。ウェザーカバー１０は、外壁２１に設けられた排気口２１ａから前下方に突出した状態で配置されるカバー本体１１と、このカバー本体１１の一方の端部に一体的に設けられた断面正方形状の短筒状をした取付枠１２とを有しており、外壁２１に設けられた正方形状の排気口２１ａ内に取付枠１２が挿入されて、ウェザーカバー１０全体が外壁２１に支持されている。
【００１２】
図４は、取付枠１２を外壁２１に設けられた排気口２１ａから取り外した状態を示すの室外側からの斜視図、図５は、外壁２１の排気口２１ａに取付枠１２を挿入した状態を示す室内側からの斜視図である。図１〜図５に示すように、カバー本体１１は、外壁２１から前方になるにつれて順次下方に位置するように湾曲した上面部１１ａと、この上面部１１ａの左右の各側縁部と外壁２１との間をそれぞれ覆う左右の各側面部１１ｂとを有しており、上面部１１ａの下側縁と、各側面部１１ｂの下側縁と、外壁２１の室外側の側面とによって、外壁２１の外側に、下方に向かった正方形状の開口部が形成されている。上面部１１ａおよび各側面部１１ｂは、鋼板によって一体的に形成されている。
【００１３】
上面部１１ａの上側縁と、各側面部１１ｂにおける外壁２１側の各側縁と、水切り１１ｃとは、外壁２１に設けられた排気口２１ａに対向した正方形状の開口部を形成しており、この開口部は、水切り１１ｃに沿った下側縁を除いて、垂直に外側に突出したフランジ部１１ｄによって覆われている。このフランジ部１１ｄには、図１および図２に示すように、下側縁部を除く上側縁部および各側縁部の外周面における外壁２１側部分に、コーキング材収容溝部１１ｅが設けられている。
【００１４】
取付枠１２は、鋼板によって上部枠材１２ａおよび下部枠材１２ｂと、左右の各側部枠材１２ｃとによって、各端面がそれぞれ開口された断面正方形状の短筒状に構成されており、フランジ部１１ｄが設けられたカバー本体１１と一体的に構成されている。
【００１５】
取付枠１２における室外側の端部は排気口２１ａ内を挿通しており、その端面における下側縁には、排気口２１ａの下方の外壁２１の室外側の側面に沿って垂直に垂れ下がった水切り１１ｃ（図１参照）が設けられている。この水切り１１ｃの下部は、下側になるにつれて前方に位置するように傾斜した状態になっている。
【００１６】
取付枠１２における室内側に位置する端部には、全周にわたって内側に直角に折り曲げられた縁部１２ｆが設けられている。そして、左右の各側部枠材１２ｃに連続する縁部１２ｆの垂直になった各側部には、上下方向中央部にビス孔１２ｅがそれぞれ設けられている。
【００１７】
左右の各側部枠材１２ｃの外側面には、上下方向に沿って延びる固定具支持部材１３が、上下方向の中程にそれぞれ設けられている。各固定具支持部材１３は、長板状をした鋼板によって構成されており、各端部には、１８０度近くにわたってそれぞれ屈曲された係合部１３ａがそれぞれ設けられている。各固定具支持部材１３は、各係合部１３ａが上部および下部にそれぞれ位置するように、長手方向が上下方向に沿った状態でそれぞれ配置されている。
【００１８】
取付枠１２における上部枠材１２ａに連続する縁部１２ｆの上部には、長板状のストッパー１４が取り付けられている。このストッパー１４は、上部枠材１２ａにおける中央部に、一方の端部がピンによって回動可能に支持されており、取付枠１２の上部枠材１２ａに連続する縁部１２ｆの上部に沿った状態と、上部枠材１２ａから上方に垂直に突出した状態とされるようになっている。
【００１９】
取付枠１２の各側部枠材１２ｃに取り付けられた固定具支持部材１３には、着脱可能になった一対の固定具１５がそれぞれ取り付けられている。各固定具１５は、長板状の鋼板によって構成されており、固定具支持部材１３に支持される本体部１５ａが中央部に設けられている。本体部１５ａは、取付枠１２の各側部枠材１２ｃの外側面に沿った水平状態で、固定具支持部材１３の各係合部１３ａに、上側縁部および下側縁部がそれぞれスライド可能に支持されている。固定支持部材１３に支持された本体部１５ａの室外側の端部には、取付枠１２から離れる方向へ本体部１５ａに対して直角に屈曲されて構成された長方形状の押圧片１５ｂが設けられており、また、本体部１５ａの他方の端部には、押圧片１５ｂとは反対に取付枠１２の内部側に本体部１５ａに対して直角に屈曲されて構成された長方形状の係止片１５ｃが設けられている。固定具支持部材１３に支持された係固定具１５の押圧片１５ｂは、取付枠１２が挿入された外壁２１の室内側の側面における排気口２１ａの周辺部に当接されるようになっており、本体部１５ａの他方の端部に設けられた係止片１５ｃよりも大きな面積になっている。
【００２０】
各固定具１５の係止片１５ｃは、取付枠１２の各側部枠材１２ｃに取り付けられた固定具支持部材１３に本体部１５ａが支持された状態では、取付枠１２における各側部枠材１２ｃに連続する縁部１２ｆの各側部に設けられたビス孔１２ｅに、それぞれ対向している。各係止片１５ｃの中央部には、ビス１６が挿通する貫通孔１５ｄが、各ビス孔１２ｅと同心状態でそれぞれ設けられている。
【００２１】
各固定具１５の係止片１５ｃに設けられた各貫通孔１５ｄには、ビス１６が、スプリングワッシャー１７が嵌合された状態でそれぞれ挿通されており、各ビス１６は、取付枠１２における縁部１２ｆの各側部にそれぞれ設けられた各ビス孔１２ｅにネジ結合されている。各ビス１６は、頭部が係止片１５ｃに係止された状態で、取付枠１２を室内側に牽引している。従って、各固定具１５の押圧片１５ｂは、頭部が係止片１５ｃに係止された各ビス１６によって取付枠１２が室内側に牽引されることにより、外壁２１に強く押圧されており、これにより、取付枠１２は外壁２１に対して固定状態になっている。
【００２２】
このような構成のウェザーカバー１０は、外壁２１の排気口２１ａに、次のようにして取り付けられる。まず、図４に示すように、取付枠１２の各側部枠材１２ｃにそれぞれ設けられた各固定具支持部材１３から固定具１５をそれぞれ取り外しておき、取付枠１２の上部枠材１２ａに設けられたストッパー１４を、上部枠材１２ａの端面に沿わせた水平な状態で、取付枠１２が、室外側から外壁２１の排気口２１ａ内に挿入される。取付枠１２が外壁２１の排気口２１ａ内に挿入されると、図２に示すように、取付枠１２における上部枠材１２ａの端面に設けられたストッパー１４が垂直になるように回動される。そして、ストッパー１４を外壁２１に設けられた排気口２１ａの上側周辺部に係止させる。これにより、取付枠１２は排気口２１ａから抜け止めされる。
【００２３】
このような状態になると、図３に示すように、外壁２１の室内側に位置する取付枠１２の各側部枠材１２ｃに設けられた各固定具支持部材１３に、各固定具１５がそれぞれ取り付けられる。各固定具１５は、取付枠１２に取り付けられた各固定具支持部材１３における上下の各係合部１３ａに本体部１５ａの上側縁部および下側縁部をそれぞれ係合させた状態でスライドさせて、各押圧片１５ｂを外壁２１にそれぞれ押圧させる。その後、各固定具１５における係止片１５ｃの貫通孔１５ｄに、各ビス１６を、スプリングワッシャー１７をそれぞれ嵌合させた状態で挿通して、取付枠１２の縁部１２ｆに設けられた各ビス孔１２ｅにそれぞれネジ結合させる。そして、各ビス１６をそれぞれ回転させることによって、それぞれのビス孔１２ｅに対してネジ送りし、各ビス１６の頭部を、各固定具１５の係止片１５ｃに係止させる。その後、さらに、各ビス１６を回転させると、それぞれの頭部が係止片１５ｃに係止された各ビス１６は、取付枠１２を室内側に牽引する。このとき、各固定具１５の押圧片１５ｂは、相対的に、外壁２１の室内側の側面における排気口２１ａの側方部分にそれぞれ圧接されることになる。そして、カバー本体１１のフランジ部１１ｄが、外壁２１の室外側の側面に圧接されることにより、取付枠１２が、外壁２１の排気口２１ａ内に固定される。
【００２４】
このような状態になると、取付枠１２を外壁２１の排気口２１ａに抜け止めしていたストッパー１４が下方に回動されて、取付枠１２における上部枠材１２ａに連続する縁部１２ｆに沿った水平状態とされる。
【００２５】
その後、図６に示すように、外壁２１の外側面に圧接されたカバー本体１１におけるフランジ部１１ｄの外周面に設けられたコーキング材収容溝１１ｅ内に、コーキング材１８が下方を除く三方に充填され、カバー本体１１のフランジ部１１ｄと、外壁２１の室外側の側面における排気口２１ａの周辺部との間がコーキング処理される。コーキング材１８は、カバー本体１１のフランジ部１１ｄに設けられたコーキング材収容溝部１１ｅ内に収容された状態になるために、コーキング材１８は外部から目視されることがほとんどなく、外観性が向上する。
【００２６】
このような状態になると、図７に示すように、外壁２１の室内側に配置されている外壁パネルの内壁２２には、外壁２１に対向した外側面に、排気口２１ａの上側縁および下側縁に沿って、枠下地材２３および２４がそれぞれ水平に取り付けられる。そして、内壁２２の開口部２２ａに、換気扇取付枠３１が挿入されて、内壁２２の室内側の側面に突き当てられるフランジ部３１ａの上側縁部および下側縁部が、枠下地材２３および２４に、内壁２２を貫通するビス３２によって固定される。取付枠１２における換気扇取付枠３１が挿入される端部の上部および下部と左右の各側部とには、図１に示すように、弾性体によって構成されたパッキング１９がそれぞれ設けられており、換気扇取付枠３１の先端部が各パッキング１９間に支持されている。その後、換気扇取付枠３１に換気扇３３が取り付けられることになる。
【００２７】
【発明の効果】
本発明の換気扇のウェザーカバー取付方法は、このように、外壁の排気口に取り付ける際に、室外側からの作業は、取付枠を排気口に挿入するだけであるために、取付枠の固定作業等が室内側にて実施することができる。従って、ウェザーカバーの取付のための作業性は著しく向上することになる。取付枠には、外壁の排気口から抜け止めするストッパーが設けられていることによって、取付枠が排気口内に挿入した状態で長時間にわたって人手によって支持する必要がなく、これによっても作業性が向上する。さらに、カバー本体に設けられたフランジ部の外周面に、コーキング材が収容されるコーキング材収容溝部が設けられていることによって、フランジ部と排気口の周辺部との間に充填されるコーキング材が外部からほとんど目視されないために、外観性も著しく向上する。
【図面の簡単な説明】
【図１】本発明の換気扇のウェザーカバー取付方法において、実施の形態の一例を示すウェザーカバーが取り付けられた外壁の縦断面図である。
【図２】そのウェザーカバーが取り付けられた外壁の横断面図である。
【図３】その外壁に取り付けられるウェザーカバーの分解斜視図である。
【図４】そのウェザーカバーの取付枠を外壁に設けられた排気口から取り外した状態を示す室外側からの斜視図である。
【図５】外壁の排気口にウェザーカバーの取付枠を挿入した状態を示す室内側からの斜視図である。
【図６】外壁に取り付けられたウェザーカバーに対するコーキング処理を説明するための室外側からの斜視図である。
【図７】外壁に取り付けられたウェザーカバーに対する換気扇の取付を説明するための分解斜視図である。
【符号の説明】
１０  ウェザーカバー
１１  カバー本体
１１ｄ  フランジ部
１１ｅ  コーキング材収容溝部
１２  取付枠
１２ｅ  ビス孔
１３  固定具支持部材
１３ａ  係合部
１４  ストッパー
１５  固定具
１５ａ  本体部
１５ｂ  押圧片
１５ｃ  係止片
１６  ビス
１７  スプリングワッシャー
１８  コーキング材
１９  パッキング
２１  外壁
２１ａ  排気口
２２  内壁
２２ａ  開口部
２３  枠下地材
２４  枠下地材
３１  換気扇取付枠
３２  ビス
３３  換気扇
【図１】
0003657092.tif 000002
【図２】
0003657092.tif 000003
【図３】
0003657092.tif 000004
【図４】
0003657092.tif 000005
【図５】
0003657092.tif 000006
【図６】
0003657092.tif 000007
【図７】
0003657092.tif 000008